(57)【要約】【課題】水分が流入した状況、及び乾燥した状況を正確に判断することにより、コネクタの腐食を防止する水分認識機能を含む電子装置及びその水分認識方法並びに水分認識システムを提供する。【解決手段】本発明による電子装置は、外部のケーブルと接続され、複数のピンを含むコネクタと、前記複数のピンの内の１つ以上の第１ピンに接続され、前記第１ピンから検出された抵抗に基づいて、第１検出結果を生成する第１水分検出回路と、前記複数のピンの内の１つ以上の第２ピンに接続され、前記第１検出結果が、前記第１ピンに水分が存在することを示す場合、水分検出モードに進入し、前記第２ピンから検出された抵抗に基づいて、第２検出結果を生成し、前記第２検出結果に基づいて、前記コネクタに水分が存在するか否か、を検出する第２水分検出回路と、を具備する。【選択図】  図１
2019015730.tif 000002
【特許請求の範囲】
【請求項１】
電子装置であって、
外部のケーブルと接続され、複数のピンを含むコネクタと、
前記複数のピンの内の１つ以上の第１ピンに接続され、前記第１ピンから検出された抵抗に基づいて、第１検出結果を生成する第１水分検出回路と、
前記複数のピンの内の１つ以上の第２ピンに接続され、前記第１検出結果が、前記第１ピンに水分が存在することを示す場合、水分検出モードに進入し、前記第２ピンから検出された抵抗に基づいて、第２検出結果を生成し、前記第２検出結果に基づいて、前記コネクタに水分が存在するか否か、を検出する第２水分検出回路と、を具備することを特徴とする電子装置。
【請求項２】
前記第１水分検出回路及び前記第２水分検出回路の内の少なくとも１つから、前記コネクタに水分が存在することを示す水分認識結果を受信するアプリケーションプロセッサをさらに具備することを特徴とする請求項１に記載の電子装置。
【請求項３】
前記第２水分検出回路は、前記第２検出結果が、前記コネクタに水分が存在することを示すとき、前記水分認識結果を前記アプリケーションプロセッサに提供することを特徴とする請求項２に記載の電子装置。
【請求項４】
前記第２水分検出回路は、前記第２検出結果が、前記コネクタに水分が存在することを示す場合、前記第２検出結果を前記第１水分検出回路に提供し、
前記第１水分検出回路は、前記第１検出結果及び第２検出結果がいずれも前記コネクタに水分が存在することを示す場合、前記水分認識結果を、前記アプリケーションプロセッサに提供することを特徴とする請求項２に記載の電子装置。
【請求項５】
前記第１ピンは、前記水分を検出するために専用に用いられるピンに相当し、
前記第２ピンは、前記外部のケーブルと通信を行うピンに相当し、
前記電子装置は、前記第２水分検出回路が配置される集積回路を含み、前記集積回路は、前記第１検出結果が水分が存在しないことを示す場合、ノーマルモードに進入することを特徴とする請求項１に記載の電子装置。
【請求項６】
前記コネクタは、ＵＳＢ（ｕｎｉｖｅｒｓａｌ  ｓｅｒｉａｌ  ｂｕｓ）タイプＣコネクタであることを特徴とする請求項５に記載の電子装置。
【請求項７】
前記第１ピンは、前記ＵＳＢタイプＣインターフェースで定義された複数の接地ピンの内のいずれか１つの接地ピンであることを特徴とする請求項６に記載の電子装置。
【請求項８】
前記第１水分検出回路は、前記第１ピンから検出された抵抗値をデジタル値に変換して出力する抵抗ＡＤＣ（ａｎａｌｏｇ−ｔｏ−ｄｉｇｉｔａｌ  ｃｏｎｖｅｒｔｅｒ）を含むマイクロＵＳＢ集積回路であることを特徴とする請求項７に記載の電子装置。
【請求項９】
前記第２ピンは、前記ＵＳＢタイプＣインターフェースで定義されたＣＣ（ｃｏｎｆｉｇｕｒａｔｉｏｎ  ｃｈａｎｎｅｌ）１ピン及びＣＣ２ピンの内の少なくとも１つのピンを含むことを特徴とする請求項６に記載の電子装置。
【請求項１０】
前記集積回路は、前記ノーマルモードにおいて、前記ＣＣ１ピン及びＣＣ２ピンの内の少なくとも１つを介して、データ接続及び制御を遂行するＣＣ集積回路であることを特徴とする請求項９に記載の電子装置。
【請求項１１】
前記第２ピンは、前記ＵＳＢタイプＣインターフェースで定義されたＣＣ１ピン、ＣＣ２ピン、ＳＢＵ（ｓｉｄｅｂａｎｄ  ｕｓｅ）１ピン及びＳＢＵ２ピンの内の少なくとも１つのピンを含むことを特徴とする請求項６に記載の電子装置。
【請求項１２】
電子装置の水分認識方法であって、
第１集積回路により、複数のピンを含むコネクタの第１ピンから検出された抵抗値に基づき、第１検出結果を生成する段階と、
前記第１検出結果が、前記コネクタに水分が存在することを示す場合、第２集積回路により、前記コネクタの第２ピンから検出された抵抗値に基づき、第２検出結果を生成する段階と、
前記第１検出結果及び前記第２検出結果がいずれも水分が存在することを示す場合、前記コネクタに水分が存在することを示す第１認識結果を生成する段階と、を有することを特徴とする電子装置の水分認識方法。
【請求項１３】
前記第１認識結果を、前記電子装置内のアプリケーションプロセッサに提供する段階をさらに有することを特徴とする請求項１２に記載の電子装置の水分認識方法。
【請求項１４】
前記第１集積回路は、前記第１ピンからの水分存在検出のための専用回路であり、
前記第２集積回路は、前記第１検出結果が、水分が存在することを示す場合、水分検出モードに進入し、前記第２検出を行い、前記第１検出結果が水分が存在しないことを示す場合、ノーマルモードに進入し、前記第２ピンを介した通信を制御することを特徴とする請求項１２に記載の電子装置の水分認識方法。
【請求項１５】
前記コネクタは、ＵＳＢ（ｕｎｉｖｅｒｓａｌ  ｓｅｒｉａｌ  ｂｕｓ）タイプＣコネクタであることを特徴とする請求項１４に記載の電子装置の水分認識方法。
【請求項１６】
前記第１ピンは、前記ＵＳＢタイプＣインターフェースで定義された複数の接地ピンの内のいずれか１つの接地ピンであることを特徴とする請求項１５に記載の電子装置の水分認識方法。
【請求項１７】
前記第２ピンは、前記ＵＳＢタイプＣインターフェースで定義されたＣＣ（ｃｏｎｆｉｇｕｒａｔｉｏｎ  ｃｈａｎｎｅｌ）１ピン及びＣＣ２ピンの内の少なくとも１つのピンを含むことを特徴とする請求項１５に記載の電子装置の水分認識方法。
【請求項１８】
前記第１検出結果を生成する段階及び前記第２検出結果を生成する段階の内の少なくとも一つは、複数回の検出動作を介していずれも水分が検出された場合、水分が存在することを示す検出結果を生成することを特徴とする請求項１２に記載の電子装置の水分認識方法。
【請求項１９】
前記第１集積回路により、前記第１ピンから検出された抵抗値に基づき、前記コネクタの水分が乾燥しているか否かということを示す第３検出結果を生成する段階と、
前記第２集積回路により、前記第３検出結果が水分が乾燥していることを示す場合、前記第２ピンから検出された抵抗値に基づき、前記コネクタの水分が乾燥しているか否かを示す第４検出結果を生成する段階と、
前記第３検出結果及び第４検出結果がいずれも水分が乾燥していることを示す場合、前記水分が乾燥していることを示す第２認識結果を生成する段階と、をさらに有することを特徴とする請求項１２に記載の電子装置の水分認識方法。
【請求項２０】
前記第３検出結果を生成する段階及び第４検出結果を生成する段階の内の少なくとも１つは、複数回の検出動作を介していずれも水分乾燥が検出された場合、水分が乾燥していることを示す検出結果を生成することを特徴とする請求項１９に記載の電子装置の水分認識方法。
【請求項２１】
水分認識システムにおいて、
ＵＳＢタイプＣインターフェースで定義されたコネクタのＣＣ（ｃｏｎｆｉｇｕｒａｔｉｏｎ  ｃｈａｎｎｅｌ）１ピン及びＣＣ２ピンに接続されているＣＣ集積回路を具備し、
前記ＣＣ集積回路は、前記コネクタの第１ピンを介した第１水分検出結果を外部から受信し、前記第１水分検出結果に基づいて、水分検出モードに進入し、
前記水分検出モードにおいて、前記コネクタの第２ピンを介して、前記コネクタに水分が存在するか否か、を検出することを特徴とする水分認識システム。
【請求項２２】
前記ＣＣ集積回路は、前記第１水分検出結果が水分を検出したことを示すと共に、前記第２ピンを介して、前記コネクタに水分が存在していることを検出した場合、前記コネクタに水分が存在することを示す第２水分検出結果を外部に出力することを特徴とする請求項２１に記載の水分認識システム。
【請求項２３】
前記第１ピンから検出された抵抗値に基づき、前記第１水分検出結果を生成して、前記ＣＣ集積回路に提供するマイクロＵＳＢ集積回路をさらに具備することを特徴とする請求項２１に記載の水分認識システム。
【請求項２４】
前記第１ピンは、前記ＵＳＢタイプＣインターフェースで定義された複数の接地ピンの内のいずれか１つの接地ピンであり、
前記第２ピンは、前記ＵＳＢタイプＣインターフェースで定義されたＣＣ（ｃｏｎｆｉｇｕｒａｔｉｏｎ  ｃｈａｎｎｅｌ）１ピン及びＣＣ２ピンの内の少なくとも１つのピンを含むことを特徴とする請求項２３に記載の水分認識システム。
【請求項２５】
前記ＣＣ集積回路は、前記第１水分検出結果が水分を検出したことを示す場合、水分検出のための第１レベルの電流を前記第２ピンに印加し、
前記第１水分検出結果が水分を検出していないことを示す場合、前記第２ピンを介した通信のための第２レベルの電流を、前記第２ピンに印加することを特徴とする請求項２１に記載の水分認識システム。
【発明の詳細な説明】
【技術分野】
【０００１】
本発明は、水分認識機能を含む電子装置に関し、特に、水分認識及び乾燥認識の正確度を向上することができる電子装置及びその水分認識方法並びに水分認識システムに関する。
【背景技術】
【０００２】
コネクタの腐食を防止するためには、コネクタ内部に水分が流入したとき、水分認識を正確に判断する必要がある。
また、水分が流入した状態において、水分が乾燥したときにも、正確に判断する必要がある。
その理由は、水分が流入した状況で、コネクタを介して電流が流れる場合には、当該ピンが腐食してしまうからである。
【０００３】
従って、コネクタが採用された電子装置は、コネクタに水分が流入した状況及び乾燥した状況を正確に判断することにより、ピン腐食を防止する必要があるが、当該コネクタの物理的損傷、及び多様な要因により、水分流入及び乾燥状況を判断する正確度が低くなってしまうという問題がある。
【発明の概要】
【発明が解決しようとする課題】
【０００４】
本発明は上記従来のコネクタにおける問題点に鑑みてなされたものであって、本発明の目的は、水分が流入した状況、及び乾燥した状況を正確に判断することにより、コネクタの腐食を防止する水分認識方法を提供することにある。
また、水分認識機能を含む電子装置及び水分認識システムを提供することにある。
【課題を解決するための手段】
【０００５】
上記目的を達成するためになされた本発明による電子装置は、電子装置であって、外部のケーブルと接続され、複数のピンを含むコネクタと、前記複数のピンの内の１つ以上の第１ピンに接続され、前記第１ピンから検出された抵抗に基づいて、第１検出結果を生成する第１水分検出回路と、前記複数のピンの内の１つ以上の第２ピンに接続され、前記第１検出結果が、前記第１ピンに水分が存在することを示す場合、水分検出モードに進入し、前記第２ピンから検出された抵抗に基づいて、第２検出結果を生成し、前記第２検出結果に基づいて、前記コネクタに水分が存在するか否か、を検出する第２水分検出回路と、を具備することを特徴とする。
【０００６】
上記目的を達成するためになされた本発明による電子装置の水分認識方法は、電子装置の水分認識方法であって、第１集積回路により、複数のピンを含むコネクタの第１ピンから検出された抵抗値に基づき、第１検出結果を生成する段階と、前記第１検出結果が、前記コネクタに水分が存在することを示す場合、第２集積回路により、前記コネクタの第２ピンから検出された抵抗値に基づき、第２検出結果を生成する段階と、前記第１検出結果及び前記第２検出結果がいずれも水分が存在することを示す場合、前記コネクタに水分が存在することを示す第１認識結果を生成する段階と、を有することを特徴とする。
【０００７】
上記目的を達成するためになされた本発明による水分認識システムは、水分認識システムにおいて、ＵＳＢタイプＣインターフェースで定義されたコネクタのＣＣ（ｃｏｎｆｉｇｕｒａｔｉｏｎ  ｃｈａｎｎｅｌ）１ピン及びＣＣ２ピンに接続されているＣＣ集積回路を具備し、前記ＣＣ集積回路は、前記コネクタの第１ピンを介した第１水分検出結果を外部から受信し、前記第１水分検出結果に基づいて、水分検出モードに進入し、前記水分検出モードにおいて、前記コネクタの第２ピンを介して、前記コネクタに水分が存在するか否か、を検出することを特徴とする。
【発明の効果】
【０００８】
本発明に係る水分認識機能を含む電子装置及びその水分認識方法並びに水分認識システムによれば、水分が流入した状況、及び乾燥した状況を正確に判断し、水分認識及び乾燥認識の正確度を向上することができる。
【図面の簡単な説明】
【０００９】
【図１】本発明の一実施形態による電子装置の概略構成を示すブロック図である。
【図２】図１の第１水分検出回路の一具現例を示すブロック図である。
【図３Ａ】図１の第２水分検出回路の一具現例を示すブロック図である。
【図３Ｂ】第２水分検出回路の動作モードの制御を説明するための図である。
【図４】本発明の例示的な実施形態によるコネクタに、ＵＳＢ  ｔｙｐｅ−Ｃ構造のコネクタに適用された例を示すコネクタ図である。
【図５】水分検出のために選択される第１ピン及び第２ピンの一例を示す図である。
【図６】本発明の一実施形態による水分認識方法を説明するためのフローチャートである。
【図７】本発明の例示的な実施形態により、水分認識及び乾燥認識を行う方法を説明するためのフローチャートである。
【図８】本発明の例示的な実施形態により、水分認識及び乾燥認識を行う方法を説明するためのフローチャートである。
【図９】本発明の例示的な実施形態により、水分認識及び乾燥認識を行う方法を説明するためのフローチャートである。
【図１０】本発明の例示的な実施形態により、多種のピンを利用して水分を検出する例を示す図である。
【図１１】本発明の例示的な実施形態により、多種のピンを利用して水分を検出する例を示す図である。
【図１２】本発明の例示的な実施形態により、多種のピンを利用して水分を検出する例を示す図である。
【図１３】本発明の一実施形態による電子装置に含まれるＣＣＩＣの構成の一変形例を示すブロック図である。
【図１４】本発明の実施形態による変形可能な水分認識方法を説明するためのフローチャートである。
【図１５】本発明の実施形態による変形可能な水分認識方法を説明するためのフローチャートである。
【発明を実施するための形態】
【００１０】
次に、本発明に係る水分認識機能を含む電子装置及びその水分認識方法並びに水分認識システムを実施するための形態の具体例を図面を参照しながら説明する。
【００１１】
図１は、本発明の一実施形態による電子装置の概略構成を示すブロック図である。
図１を参照すると、電子装置１００は、外部のケーブルに接続され、外部装置と電子装置１００との通信を行うコネクタ１１０を含む。
コネクタ１１０は、多種であり、電気的コネクタ、ケーブルコネクタ、ポート、有線インターフェース、及びバスインターフェースなど外部のケーブルを受信するコネクタでもある。
また、電子装置１００は、コネクタ１１０に含まれるピンに接続される第１水分検出回路１２０及び第２水分検出回路１３０を含む。
また、電子装置１００は、その内部の全般的な動作を制御するプロセッサを含み、一例として、電子装置１００は、アプリケーションプロセッサ（ＡＰ：ａｐｐｌｉｃａｔｉｏｎ  ｐｒｏｃｅｓｓｏｒ）１４０を含む。
【００１２】
第１水分検出回路１２０及び第２水分検出回路１３０それぞれは、集積回路（ＩＣ）によっても具現される。
一例として、第１水分検出回路１２０及び第２水分検出回路１３０それぞれは、コネクタ１１０に含まれるピンから抵抗を検出することができる回路を含む。
すなわち、コネクタ１１０に含まれるピンに水分が流入した場合（または、コネクタ１１０に水分が存在する場合）、ピンから検出される抵抗値が変動し、第１水分検出回路１２０及び第２水分検出回路１３０それぞれは、変動した抵抗を検出することにより、水分の存在如何を検出することができる。
【００１３】
コネクタ１１０は、多様な構造を有することができる。
本発明の実施形態では、多様な構造のコネクタにおいて、水分（または、他種の液体成分や腐食物質など）が存在する状況、及び乾燥した状況を判断することにより、コネクタの腐食を防止することができる水分認識方法を開示する。
以下の実施形態においては、コネクタの一構造として、ＵＳＢ  ｔｙｐｅ−Ｃコネクタ構造を開示し、また、ＵＳＢ  ｔｙｐｅ−Ｃコネクタ構造を利用し、水分流入を抵抗と判断するシステムを開示する。
【００１４】
しかし、本発明の実施形態は、他の多様な構造のコネクタにも同一または類似して適用され得る。
一例として、本発明の実施形態は、他タイプのＵＳＢコネクタ構造（例えば、ＵＳＢタイプ＿Ａ、ＵＳＢタイプ＿Ｂ、マイクロＵＳＢなど）に適用されるか、あるいはＨＤＭＩ（登録商標）コネクタ構造、ＲＪ−４５コネクタ、直列ポートコネクタ構造、並列ポートコネクタ構造、同軸コネクタ構造などにも適用され得る。
【００１５】
コネクタ１１０に水分が流入すれば、電子装置１００は、当該ピンから、互いに異なる値を有する抵抗を検出し、それにより、水分を認識することができる。
水分を認識するということは、コネクタ１１０に水分が存在することを認識するか、あるいはコネクタ１１０の水分が乾燥していることを認識する概念を含んでもよい。
【００１６】
一実施形態により、電子装置１００は、コネクタ１１０内において、ＵＳＢ  ｔｙｐｅ−Ｃ動作に影響を与えない領域を活用し、水分存在による抵抗値変動が発生するか否かということが分かる。
水分がないときには、フローティング（ｆｌｏａｔｉｎｇ）状態として、当該ピンから無限大の抵抗が検出される一方、水分が存在する状態においては、無限大の抵抗ではない小さい値（例えば、数キロ〜数メガオーム（ｏｈｍ））の抵抗が検出される。
抵抗をモニタリング（ｍｏｎｉｔｏｒｉｎｇ）する方法は、多様に存在することができ、電子装置１００は、多様な抵抗モニタリング方法を、選択的に活用することにより、抵抗値の変動を検出することができる。
【００１７】
本願の多様な実施形態による電子装置１００は、例えば、スマートフォン（ｓｍａｒｔｐｈｏｎｅ）、タブレットＰＣ（ｔａｂｌｅｔ  ｐｅｒｓｏｎａｌ  ｃｏｍｐｕｔｅｒ）、移動電話機（ｍｏｂｉｌｅ  ｐｈｏｎｅ）、映像電話機、電子書籍リーダ（ｅ−ｂｏｏｋ  ｒｅａｄｅｒ）、デスクトップＰＣ（ｄｅｓｋｔｏｐ  ｐｅｒｓｏｎａｌ  ｃｏｍｐｕｔｅｒ）、ラップトップＰＣ（ｌａｐｔｏｐ  ｐｅｒｓｏｎａｌ  ｃｏｍｐｕｔｅｒ）、ネットブックコンピュータ（ｎｅｔｂｏｏｋ  ｃｏｍｐｕｔｅｒ）、ワークステーション（ｗｏｒｋｓｔａｔｉｏｎ）、サーバ、ＰＤＡ（ｐｅｒｓｏｎａｌ  ｄｉｇｉｔａｌ  ａｓｓｉｓｔａｎｔ）、ＰＭＰ（ｐｏｒｔａｂｌｅ  ｍｕｌｔｉｍｅｄｉａ  ｐｌａｙｅｒ）、ＭＰ３プレーヤ、モバイル医療機器、カメラ、又はウェアラブル装置（ｗｅａｒａｂｌｅ  ｄｅｖｉｃｅ）の内の少なくとも一つを含んでもよい。
多様な実施形態によれば、該ウェアラブル装置は、アクセサリ型（例：時計、指輪、腕輪、腕輪、ネックレス、めがね、コンタクトレンズ、又は頭着用型装置（ＨＭＤ：ｈｅａｄ−ｍｏｕｎｔｅｄ−ｄｅｖｉｃｅ）、織物一体型又は衣類一体型（例：電子衣服）、身体付着型（例：スキンパッド（ｓｋｉｎ  ｐａｄ）または入れ墨）、または生体移植型（例：ｉｍｐｌａｎｔａｂｌｅ  ｃｉｒｃｕｉｔ）の内の少なくとも一つを含んでもよい。
【００１８】
以下、本発明の一実施形態による水分認識動作について説明すれば、以下の通りである。
本発明の一実施形態において、第１水分検出回路１２０は、コネクタ１１０の少なくとも１つのピン（例えば、第１ピン）に電気的に接続され、第１水分検出回路１２０は、第１ピンから抵抗を検出することにより、水分に対する第１検出動作を遂行する。
一例として、第１水分検出回路１２０は、第１ピンから検出された抵抗値によるデジタル信号を生成する抵抗ＡＤＣ（ａｎａｌｏｇ−ｔｏ−ｄｉｇｉｔａｌ  ｃｏｎｖｅｒｔｅｒ）（図示せず）を含んでもよい。
第１水分検出回路１２０は、抵抗ＡＤＣからの出力を利用し、コネクタ１１０内の水分存在を検出し、その第１検出結果（Ｉｎｆｏ＿ｓ）を、水分認識結果として提供する。
すなわち、図１においては、第１検出結果（Ｉｎｆｏ＿ｓ）が第２水分検出回路１３０に提供される例を示したが、第１水分検出回路１２０からの第１検出結果（Ｉｎｆｏ＿ｓ）が水分認識結果に該当する場合には、第１検出結果（Ｉｎｆｏ＿ｓ）がアプリケーションプロセッサ１４０にも提供されるであろう。
【００１９】
一方、本発明の他の実施形態において、水分認識結果は、第１水分検出回路１２０及び第２水分検出回路１３０の検出結果を組み合わせることによっても生成される。
一例として、第１水分検出回路１２０からの第１検出結果（Ｉｎｆｏ＿ｓ）は、第２水分検出回路１３０に提供され、第２水分検出回路１３０は、第１検出結果（Ｉｎｆｏ＿ｓ）がコネクタ１１０に水分が存在することを示す結果に該当するとき、その動作モードを水分検出モードに設定し、設定された水分検出モード状態で水分検出動作を遂行する。
【００２０】
一実施形態により、コネクタ１１０に含まれる複数のピンのうち、第１ピンは、水分検出動作に専用的に利用されるピンである。
すなわち、第１ピンは、電子装置１００と外部装置との通信に無関係なピンであり、第１水分検出回路１２０は、水分検出動作以外の通信と関係する動作を遂行しない。
すなわち、第１ピンは、ダミーピンや追加ピンなどに該当し、第１ピンは、電子装置１００内において、通信と関係する他の集積回路とは電気的に接続されない。
【００２１】
一動作例として、第２水分検出回路１３０は、コネクタ１１０の第１ピンとは異なる１以上のピン（例えば、第２ピン）に電気的に接続され、第２水分検出回路１３０は、第２ピンから抵抗を検出することにより、水分が存在するかどうかに関係する第２検出動作を遂行する。
一例として、第２ピンは、外部装置との通信に関係するピンであり、第２水分検出回路１３０は、ノーマルモードにおいて、第２ピンを利用し、外部装置との通信に関係する動作を遂行する。
すなわち、第２水分検出回路１３０は、第１検出結果（Ｉｎｆｏ＿ｓ）により、ノーマルモードで動作するか、ローパワー（ｌｏｗ  ｐｏｗｅｒ）モードで動作するか、あるいは水分検出モードで動作することができる。
【００２２】
一例として、第２水分検出回路１３０は、ローパワーモードの状態において、第１検出結果（Ｉｎｆｏ＿ｓ）を受信する。
もしコネクタ１１０に、外部からの正常なケーブルが接続されることにより、第１ピンの抵抗値が変動した場合には、第２水分検出回路１３０は、第１検出結果（Ｉｎｆｏ＿ｓ）に応答し、ノーマルモードで動作する。
一方、コネクタ１１０に水分が流入することにより、第１ピンの抵抗値が変動した場合には、第２水分検出回路１３０は、第１検出結果（Ｉｎｆｏ＿ｓ）に応答し、水分検出モードで動作する。
【００２３】
一実施形態により、コネクタ１１０に含まれる複数のピンは、外部装置を識別するために利用されるピンを含んでもよく、ＵＳＢ  ｔｙｐｅ−Ｃ構造において、外部装置を識別するために利用されるピンは、ＣＣ（ｃｏｎｆｉｇｕｒａｔｉｏｎ  ｃｈａｎｎｅｌ）１ピン及びＣＣ２ピンを含んでもよい。
また、一実施形態により、第２ピンは、ＣＣ１ピン及びＣＣ２ピンの内の少なくとも一つを含んでもよく、電子装置１００は、ＣＣ１ピン及びＣＣ２ピンから検出された抵抗により、外部装置を認識することができるＣＣＩＣ（ｃｏｎｆｉｇｕｒａｔｉｏｎ  ｃｈａｎｎｅｌ  ｉｎｔｅｇｒａｔｅｄ  ｃｉｒｃｕｉｔ）（図示せず）を含んでもよい。
このとき、第２水分検出回路１３０は、ＣＣＩＣ内に含まれる構成でもある。
【００２４】
第２水分検出回路１３０は、第２ピンから抵抗を検出し、それに基づいて、第２検出結果（Ｉｎｆｏ＿Ｄ）を生成する。
もし第２水分検出回路１３０においても、コネクタ１１０に水分が存在すると検出されれば、第２検出結果（Ｉｎｆｏ＿Ｄ）は、コネクタ１１０に水分が存在すると認識する最終認識結果に該当する。
第２検出結果（Ｉｎｆｏ＿Ｄ）は、アプリケーションプロセッサ１４０に提供され、アプリケーションプロセッサ１４０は、コネクタ１１０の腐食を防止するための各種制御動作を遂行し、また水分が流入したことを、電子装置１００のユーザに知らせるための各種制御動作を遂行する。
一例として、アプリケーションプロセッサ１４０は、パワー管理ＩＣ（ｉｎｔｅｇｒａｔｅｄ  ｃｉｒｃｕｉｔ）（図示せず）を制御することにより、コネクタ１１０に電流が流れることを防止することができ、また充電動作などコネクタ１１０を利用した動作が進められることを遮断することができる。
【００２５】
前述のような本発明の一実施形態によれば、外部装置との通信に無関係な第１ピンを利用し、水分検出を行うことができる。
一例として、外部装置の種類を認識する既存の方法として、ＭＵＩＣ（ｍｉｃｒｏ  ＵＳＢ  ｉｎｔｅｇｒａｔｅｄ  ｃｉｒｃｕｉｔ）が識別端子の抵抗（ＲＩＤ）を検出する方法が提案されているが、本発明の実施形態によれば、ＭＵＩＣが第１水分検出回路１２０に利用され、外部のケーブルの接続とは無関係に、水分検出に専用的に利用される第１ピンの抵抗が、前述の抵抗（ＲＩＤ）として、ＭＵＩＣによって検出される。
すなわち、本発明の一実施形態により、水分検出のための専用ピン及び専用集積回路により、コネクタ１１０への水分流入が認識される。
【００２６】
また、本発明の他の実施形態により、第１検出動作及び第２検出動作結果が、いずれも水分が検出されたことを示すとき、コネクタ１１０に水分が存在すると最終認識される。
すなわち、コネクタ１１０の物理的な損傷など多様な要因により、水分認識が誤ってなされ得るが、本発明の実施形態によれば、互いに異なる検出動作の組み合わせに基づいて水分認識が行われるので、その認識正確度が向上する。
また、第１ピン及び第２ピンが、物理的に遠く離れたピンに該当するとき、第１検出動作及び第２検出動作の結果がいずれも水分存在を示す場合には、コネクタ１１０内部に水分が流入していないにもかかわらず、水分流入と誤って認識される可能性が非常に低減する。
【００２７】
図２は、図１の第１水分検出回路の一具現例を示すブロック図である。
図２を参照すると、第１水分検出回路１２０は、抵抗検出器１２１及び水分検出器１２２を含む。
一例として、第１水分検出回路１２０は、第１ピンに電気的に接続され、抵抗検出器１２１は、第１ピンから抵抗を検出し、検出された抵抗値に対応するデジタル信号を出力するアナログ・デジタル・コンバータ（ＡＤＣ）を含む。
すなわち、第１ピンの抵抗値により、互いに異なるレベルの電圧を検出し、アナログ・デジタル・コンバータ（ＡＤＣ）にて、検出された電圧に対応するデジタルコードを出力することにより、抵抗検出結果を生成する。
変形可能な例として、抵抗検出器１２１は、ＡＤＣを含むことなしに、アナログ信号を水分検出器１２２に提供する形態の回路でも具現され得る。
【００２８】
水分検出器１２２は、抵抗検出器１２１からの出力を利用し、第１検出結果（Ｉｎｆｏ＿ｓ）を生成する。
一例として、抵抗検出器１２１は、検出された抵抗値によるデジタルコードを出力することができ、水分検出器１２２は、デジタルコード値に基づいて、水分が検出されたか、検出されなかったかを示す第１検出結果（Ｉｎｆｏ＿ｓ）を生成する。
もし水分が検出された場合には、そうではない場合に比べ、第１ピンから小さい抵抗値が検出され、水分検出器１２２は、デジタルコード値が基準値以下（または、基準値以上）であるとき、水分が検出されたことを示す第１検出結果（Ｉｎｆｏ＿ｓ）を生成する。
【００２９】
図３Ａは、図１の第２水分検出回路の一具現例を示すブロック図であり、図３Ｂは、第２水分検出回路の動作モードの制御を説明するための図である。
図１及び図３Ａを参照すると、第２水分検出回路１３０は、モード制御器１３１、電源生成器１３２、抵抗検出器１３３、及び水分検出器１３４を含む。
一例として、第２水分検出回路１３０は、第２ピンに電気的に接続され、抵抗検出器１３３は、第２ピンから抵抗を段階別に検出し、検出された抵抗段階に対応する情報を出力する。
すなわち、抵抗段階は、複数個の段階（一例として、Ｒｐ、Ｒｄ、Ｒａ）に定義され、抵抗検出器１３３は、第２ピンから検出された抵抗値により、いずれか１つの段階を示す情報を、水分検出器１３４に提供する。
【００３０】
モード制御器１３１は、第１検出結果（Ｉｎｆｏ＿ｓ）に応答し、第２水分検出回路１３０の動作モードを制御する。
一例として、図３Ｂを参照すると、第１検出結果（Ｉｎｆｏ＿ｓ）が、コネクタ１１０で水分が検出されたことを示す場合、モード制御器１３１は、第２水分検出回路１３０が、水分検出モードで動作するように制御動作を遂行する。
一方、第１検出結果（Ｉｎｆｏ＿ｓ）が、コネクタ１１０で水分が検出されていないことを示す場合（または、外部ケーブルが正常に接続されていることを示す場合）、モード制御器１３１は、第２水分検出回路１３０がノーマルモードで動作するように制御動作を遂行する。
【００３１】
一実施形態により、第２水分検出回路１３０がローパワーモード状態である場合、第２水分検出回路１３０は、第２ピンに電流を提供しない。
一方、第２水分検出回路１３０が水分検出モード状態である場合、第２水分検出回路１３０は、第２ピンの抵抗を検出するために、低レベルの電流を第２ピンに提供する。
また、第２水分検出回路１３０がノーマル状態である場合、第２水分検出回路１３０は、外部装置との通信のために、相対的に高レベルを有する正常電流を第２ピンに提供する。
モード制御器１３１は、第１検出結果（Ｉｎｆｏ＿ｓ）によって電源生成器１３２を制御し、電源生成器１３２は、水分検出動作のために、そのレベルが調節された電流を第２ピンに提供する。
【００３２】
水分検出器１３４は、抵抗検出器１３３からの検出結果に基づいて、第２検出結果（Ｉｎｆｏ＿Ｄ）を出力する。
一実施形態により、第２検出結果（Ｉｎｆｏ＿Ｄ）は、コネクタ１１０に水分が存在することを示す最終認識結果に該当する。
一実施形態により、第２検出情報（Ｉｎｆｏ＿Ｄ）は、水分流入及び水分種類（または、液体の種類や腐食性物質の種類など）に関係する多様な情報を含んでもよい。
一例として、コネクタ１１０には、塩水や淡水など多種の水分が流入され、水分の種類により、その電気伝導度が異なりうる。
このとき、流入した水分の種類により、第２ピンから検出される抵抗値は、互いに異なり、抵抗検出器１３３は、複数の抵抗段階の内のいずれか１つの段階を示す情報を、水分検出器１３４に提供する。
すなわち、水分検出器１３４からの第２検出結果（Ｉｎｆｏ＿Ｄ）は、水分流入を示す情報と共に、流入した水分の種類を示す情報をさらに含むこともできるであろう。
【００３３】
一実施形態により、第２検出結果（Ｉｎｆｏ＿Ｄ）は、モード制御器１３１にさらに提供される。
例えば、第２水分検出回路１３０が水分検出モードに変更された後、コネクタ１１０に存在した水分が乾燥し、このとき、第２検出結果（Ｉｎｆｏ＿Ｄ）は、水分が存在しないことを示す（または、水分が乾燥したことを示す）情報を含む。
モード制御器１３１は、第２検出結果（Ｉｎｆｏ＿Ｄ）に基づいて、第２水分検出回路１３０の動作モードを、水分検出モードからローパワーモードに変動させるか、あるいは水分検出モードからノーマルモードに変更させる。
【００３４】
以下では、本発明の実施形態によるコネクタが、ＵＳＢ  ｔｙｐｅ−Ｃコネクタ構造に該当する場合を仮定し、その構成及び動作例について説明する。
一実施形態により、コネクタの用語は、レセプタクル（ｒｅｃｅｐｔａｃｌｅ）で代替されてもよい。また、前述のピンの用語は、端子で代替されてもよい。
以下では、ＵＳＢ  ｔｙｐｅ−Ｃ構造で開示される多様な端子のうち、接地（ＧＮＤ）端子、ＣＣ１端子、ＣＣ２端子などを活用し、水分流入、水分乾燥を把握する特徴を開示する。
【００３５】
しかし、それは１つの実施形態であり、他の多種の端子が活用され得る。
また、前述の第１検出動作で利用される端子は、ＵＳＢ  ｔｙｐｅ−Ｃ構造と定義された接地（ＧＮＤ）端子に該当するが、本発明の実施形態により、水分検出に利用される接地（ＧＮＤ）端子は、実際の接地電圧を伝達する機能に無関係であるので、本発明の実施形態により、水分検出に利用される接地（ＧＮＤ）端子は、ＲＩＤ端子と指称されてもよい。
【００３６】
図４は、本発明の例示的な実施形態によるコネクタに、ＵＳＢ  ｔｙｐｅ−Ｃ構造のコネクタが適用された例を示すコネクタ図である。
図４に示す各種用語は、ＵＳＢスペックを介して、当業者に容易に理解されるので、それに関係する具体的な説明は省略する。
図４を参照すると、ＵＳＢ  ｔｙｐｅ−Ｃ構造のコネクタに含まれるピンは、対称構造を有することができる。
すなわち、対称構造により、ケーブル又はジェンダと、電子装置のＵＳＢ  ｔｙｐｅ−Ｃコネクタとの接続時、ケーブルの方向性に関係なく接続が可能である。
一例として、ＵＳＢケーブルを、コネクタのピン方向性に一致させる必要なく接続が可能である。
【００３７】
ＵＳＢ  ｔｙｐｅ−Ｃ構造のコネクタは、２列のピンを含む。
一例として、ＵＳＢ  ｔｙｐｅ−Ｃ構造のコネクタは、第１列のピン（Ａ１〜Ａ１２）、及び第２列のピン（Ｂ１〜Ｂ１２）を含む。
一例として、ＵＳＢ  ｔｙｐｅ−Ｃ構造のコネクタは、多様な速度のデータ通信を支援することができる。
一例として、ＵＳＢ  ｔｙｐｅ−Ｃ構造のコネクタは、第１規格（例えば、ＵＳＢ  ３．１）による高速データ通信を支援するピン（Ａ２，Ａ３、Ａ１０，Ａ１１、Ｂ２，Ｂ３、Ｂ１０，Ｂ１１）と、第２規格（例えば、ＵＳＢ  ２．０）による低速データ通信を支援するピン（Ａ６，Ａ７）、（Ｂ６，Ｂ７）を含む。
【００３８】
それ以外にも、第１列のピン（Ａ１〜Ａ１２）、及び第２列のピン（Ｂ１〜Ｂ１２）それぞれは、固有の機能を遂行し、一例として、ＶＢＵＳピン（Ａ４，Ａ９，Ｂ４，Ｂ９）は、電源供給ピンに該当し、ＧＮＤピン（Ａ１，Ａ１２，Ｂ１，Ｂ１２）は、接地電圧を伝達するピンに該当し、ＳＢＵ（ｓｉｄｅｂａｎｄ  ｕｓｅ）ピン（Ａ８，Ｂ８）は、ＡＬＴ（ａｌｔｅｒｎａｔｅ）モード支援のために利用されるピンとして、Ｔｈｕｎｄｅｒｂｏｌｔ（登録商標）、ＤｉｓｐｌａｙＰｏｒｔ、ＨＤＭＩ（登録商標）などを搭載したケーブルと接続される。
【００３９】
また、ＵＳＢ  ｔｙｐｅ−Ｃ構造のコネクタが採用された装置は、双方向通信を行うことができる。
一例として、前述の電子装置は、ＵＳＢインターフェースを介して外部装置と接続するとき、ホスト（例えば、ＤＦＰ（ｄｏｗｎｓｔｒｅａｍ  ｆａｃｉｎｇ  ｐｏｒｔ））として動作するか、あるいはスレーブ（ＵＦＰ：ｕｐｓｔｒｅａｍ  ｆａｃｉｎｇ  ｐｏｒｔ）として動作することができる。
または、前述の電子装置は、ＤＲＰ（ｄｕａｌ  ｒｏｌｅ  ｐｏｒｔ）として動作し、このとき、電子装置は、ホスト（ＤＦＰ）又はデバイス（ＵＦＰ）の役割を適応的に変更することができる。
【００４０】
前述のような電子装置の役割は、ＵＳＢ  ｔｙｐｅ−Ｃ構造のコネクタのＣＣピン（Ａ５、Ｂ５）を介しても指定される。
一例として、ＵＳＢインターフェースの場合、データ接続（ｄａｔａ  ｃｏｎｎｅｃｔｉｏｎ）及び制御（ｃｏｎｔｒｏｌ）がＣＣ１／ＣＣ２ピン（Ａ５，Ｂ５）を介したデジタル通信によっても行われる。
【００４１】
電子装置のモデルにより、コネクタに具備される複数のピンの内の一部ピンだけを利用したりもする。
すなわち、一部のピンは、電子装置の正常動作モード（一例として、水分検出以外のモード）では利用されない。
一例として、一部のモデルは、複数のＧＮＤピン（Ａ１，Ａ１２，Ｂ１，Ｂ１２）の内の１つ以上のＧＮＤピンを利用しない。
または、一部のモデルは、高速データ通信に関係するピン（Ａ２，Ａ３、Ａ１０，Ａ１１、Ｂ２，Ｂ３、Ｂ１０，Ｂ１１）の内の少なくとも１つのピンを利用しない。
電子装置で利用されないピンは、通信と関係する電子装置内の集積回路（ＩＣ）と電気的に接続されない。
本発明の例示的な実施形態により、前述のように利用されないピンの内の少なくとも１つのピンを、前述の実施形態での第１ピンと設定し、第１ピンに、水分検出のための専用用途に利用される水分検出回路を接続することができる。
【００４２】
図５は、水分検出のために選択される第１ピン及び第２ピンの一例を示す図面である。
図４及び図５を参照すると、電子装置２００は、ＵＳＢ  ｔｙｐｅ−Ｃ構造のコネクタ２１０を含み、コネクタ２１０は、第１列のピン（Ａ１〜Ａ１２）、及び第２列のピン（Ｂ１〜Ｂ１２）を含む。
また、複数のＧＮＤピン（Ａ１，Ａ１２，Ｂ１，Ｂ１２）の内の、実際に利用されない１つのＧＮＤピン（例えば、Ｂ１２）が前述の第１ピンに選択され、水分検出のためのマイクロＵＳＢＩＣ（ＭＵＩＣ）２２０）がＧＮＤピンＢ１２に接続され、ＭＵＩＣ２２０は、ＧＮＤピンＢ１２から抵抗値（ＲＩＤ）を検出する。
【００４３】
また、第１列のピン（Ａ１〜Ａ１２）、及び第２列のピン（Ｂ１〜Ｂ１２）において、外部装置との通信に関係する１つ以上のピンが、前述の実施形態での第２ピンとして選択され、図５では、その一例として、ＣＣ１／ＣＣ２ピン（Ａ５，Ｂ５）が第２ピンに選択される例を示す。
また、ＣＣＩＣ２３０は、ノーマルモードにおいて、データ接続及び制御を行い、水分検出モードにおいて、ＣＣ１／ＣＣ２ピン（Ａ５，Ｂ５）から抵抗を検出し、検出された抵抗値により、水分が存在するかどうかを検出する。
【００４４】
ＣＣＩＣ２３０は、ノーマルモードにおいて、ＣＣ１／ＣＣ２ピン（Ａ５，Ｂ５）から抵抗を検出することにより、ケーブルを認識するか、あるいはホスト／デバイス役割を設定することができる。
一例として、ＣＣＩＣ２３０は、ＣＣ１／ＣＣ２ピン（Ａ５，Ｂ５）に電流を印加して電圧を検出し、ＣＣ１／ＣＣ２ピン（Ａ５，Ｂ５）の抵抗値の変動に基づく変動レベルを有する電圧値を、所定基準電圧（例えば、第１基準電圧など）と比較することにより、前述の認識動作及び設定動作を遂行することができる。
【００４５】
また、ＣＣＩＣ２３０は、水分検出モードにおいて、ＣＣ１／ＣＣ２ピン（Ａ５，Ｂ５）に電流を印加して電圧を検出し、それを所定基準電圧（例えば、第２基準電圧など）と比較することにより、水分を検出することができる。
一実施形態により、ＣＣＩＣ２３０は、ノーマルモードに比べ、水分検出モードにおいて、相対的に低いレベルの電流をＣＣ１／ＣＣ２ピン（Ａ５，Ｂ５）に印加する。
また、水分検出モードに設定される基準電圧は、ノーマルモードに設定される第１基準電圧と、そのレベルが異なり、一例として、第２基準電圧は、第１基準電圧に比べ、高レベルを有する。
水分が流入したかどうか、そして流入した水分の種類（例えば、塩水又は淡水）により、ＣＣ１／ＣＣ２ピン（Ａ５，Ｂ５）の抵抗値が異なり、ＣＣＩＣ２３０は、抵抗値を複数の段階に区分して検出することにより、水分が流入したかどうかと共に、流入した水分の種類も判断することができる。
【００４６】
一実施形態により、ＣＣＩＣ２３０は、ＣＣ１／ＣＣ２ピン（Ａ５，Ｂ５）を利用し、多様な方式により、水分を検出することができる。
例えば、ＣＣＩＣ２３０は、ＣＣ１／ＣＣ２ピン（Ａ５，Ｂ５）それぞれから抵抗を検出し、ＣＣ１／ＣＣ２ピン（Ａ５，Ｂ５）において、いずれも水分が検出された場合、コネクタ２１０に水分が存在すると認識結果を生成する。
または、他の例として、ＣＣＩＣ２３０は、ＣＣ１ピンＡ５及びＣＣ２ピンＢ５の内のいずれか１つのピンで水分が検出された場合、コネクタ２１０に水分が存在すると認識結果を生成することができる。
【００４７】
図６は、本発明の一実施形態による水分認識方法をを説明するためのフローチャートである。
図６を参照して、水分を認識すると共に、その後、水分乾燥を認識する方法例について説明する。
前述の実施形態により、少なくとも２つの水分検出段階を介して、水分存在を認識すると共に、それと類似した方式により、少なくとも２つの水分乾燥検出段階を介して、水分乾燥を認識する。
【００４８】
一例として、第１ピン（例えば、ＧＮＤピン）の抵抗（ＲＩＤ）を介して、水分乾燥（ｄｒｙｉｎｇ  ｏｆ  ｗａｔｅｒ）を一次検出し、水分乾燥であると検出した場合、選択的に第２ピン（例えば、ＣＣ１，ＣＣ２ピン）を介して、水分乾燥を二次検出する。
また、一次検出及び二次検出の段階において、いずれも水分乾燥であると検出した場合、コネクタに流入した水分が乾燥していると最終認識される。
前述の方式により、水分流入及び水分乾燥に対する正確な判断が可能であり、水分に関係する正確な判断は、電流の流れをコネクタ端子に許容しないために、水分によるコネクタ腐食を防止することができる。
【００４９】
一動作例として、図６を参照すると、乾燥状態（Ｄｒｉｅｄ）において、第１ピンからの抵抗（ＲＩＤ）を介して、水分を検出し（ＲＩＤ  Ｗａｔｅｒ？）（ステップＳ１１）、水分が検出されれば、第２ピン（例えば、ＣＣ１，ＣＣ２ピン）を介して水分を検出する動作を再び遂行する（ＣＣ１，ＣＣ２  Ｗａｔｅｒ？）（ステップＳ１２）。
複数のピンを介した一次検出及び二次検出の工程において、いずれも水分を検出をした場合、コネクタに水分が存在すると認識する。
一方、少なくとも１つのピンで水分が検出されなければ、水分が存在しないと認識する。
【００５０】
水分乾燥を認識する方法も、水分が認識された状態（Ｗａｔｅｒ）において、第１ピンからの抵抗（ＲＩＤ）を介して水分乾燥を検出し（ＲＩＤ  Ｄｒｉｅｄ？）（ステップＳ１４）、水分が乾燥したと検出されれば、第２ピン（例えば、ＣＣ１，ＣＣ２ピン）を介して水分乾燥を検出する動作を再び遂行する（ＣＣ１，ＣＣ２  Ｄｒｉｅｄ？）（ステップＳ１３）。
一次検出及び二次検出の工程において、いずれも水分乾燥が検出される場合、コネクタに流入した水分が乾燥したと認識する。
また、水分認識及び水分乾燥認識の結果は、電子装置内の他のプロセッサ（例えば、アプリケーションプロセッサ）にも提供する。
【００５１】
前述のような実施形態によれば、水分ではない場合においては、特定ピンの物理的特性（例えば、ピン損傷又はピンの誤作動）による水分誤認識を防止し、水分が流入した状況において乾燥される場合には、複数のピンからの水分乾燥を検出することにより、残余水分が最大限乾燥した後、乾燥認識が最終的になされるので、残余水分による腐食事案を最小化することができる。
【００５２】
また、コネクタに流入される水分及び異物は、それによる抵抗値の変動が互いに異なり、また水分がコネクタに流入したとき、経時的にその成分が変化するか、あるいはピンが互いに短絡（ｓｈｏｒｔ）状態になることがある。
しかし、本発明の実施形態によれば、複数のピンに対して、水分の流入又は乾燥を順次に検出し、それにより、水分認識結果の正確度が向上することにより、システム又は電子装置を安定して動作させることができる。
【００５３】
図７〜図９は、本発明の例示的な実施形態により、水分認識及び乾燥認識を行う方法を説明するためのフローチャートである。
以下の実施形態においては、第１水分検出回路がＭＵＩＣに含まれ、第２水分検出回路がＣＣＩＣに含まれ、前述の第１ピンがＧＮＤピンに該当し、第２ピンがＣＣ１／ＣＣ２ピンに該当する例を示すが、本発明の実施形態は、それに限られるものではない。
【００５４】
図７を参照すると、ＭＵＩＣは、ＧＮＤピンに電気的に接続され、周期的又は非周期的に、ＧＮＤピンから抵抗を検出する（ステップＳ２１）。
また、検出された抵抗値に基づいて、コネクタに水分が存在するか否かという一次検出を行う（ステップＳ２２）。
水分の一次検出結果は、ＣＣＩＣに提供され、ＣＣＩＣは、水分の一次検出結果に応答し、水分検出モードに進入する（ステップＳ２３）。
水分検出モードにおいて、ＣＣＩＣは、ＣＣ１／ＣＣ２ピンから抵抗を検出する（ステップＳ２４）。
そして、検出された抵抗値に基づいて、コネクタに水分が存在するか否かを二次検出する（ステップＳ２５）。
そして、ＭＵＩＣ及びＣＣＩＣを含む電子装置は、水分の第１検出結果及び水分の第２検出結果を利用し、水分の存在及び水分乾燥を最終認識する（ステップＳ２６）。
一実施形態により、前述のように、水分の一次検出結果が水分の存在を示し、ＣＣＩＣが、水分の二次検出動作に基づいて、水分の存在を検出するとき、ＣＣＩＣが水分が存在するということを示す最終認識結果を生成する。
【００５５】
また、図８を参照すると、ＭＵＩＣが一次水分検出動作を遂行し、それによる結果をＣＣＩＣに提供する（ステップＳ３１）。
また、ＭＵＩＣは、流入した水分による短絡状態での内部動作を遮断するために、その内部の動作電圧（例えば、トグリング電圧）を非活性化させる（ステップＳ３２）。
次に、ＣＣＩＣは、ＭＵＩＣにおいて、一次的に水分が存在すると検出された場合、二次水分検出動作を遂行し、二次水分検出結果をＭＵＩＣに提供する（ステップＳ３３）。
ＭＵＩＣは、二次水分検出結果が水分が検出されたことを示す結果であるか否かを判断し（ステップＳ３４）、水分が検出されたことを示す場合、所定のディレイ（遅延）を経た後（ステップＳ３５）、一次水分検出動作を再び遂行するために、動作電圧を活性化させる（ステップＳ３６）。
一方、二次水分検出結果が、水分が検出されていないことを示す場合、ＭＵＩＣは、ディレイ（遅延）を経ず、一次水分検出動作を再び遂行するために、動作電圧を活性化させる（ステップＳ３６）。
【００５６】
また、図９を参照すると、ＣＣＩＣは、ローパワーモード状態を維持し（ステップＳ４１）、ＣＣＩＣは、ＭＵＩＣからの一次水分検出結果を受信する（ステップＳ４２）。
次に、一次水分検出結果が、水分が検出されたということを示せば、ＣＣＩＣは、水分検出モードからそのモードが変更し、ＣＣ１／ＣＣ２ピンの抵抗を検出するために、第１電流を、ＣＣ１／ＣＣ２ピンに提供する（ステップＳ４３）。
第１電流及びＣＣ１／ＣＣ２ピンの抵抗によって電圧が検出され、検出された電圧は、第１基準電圧と比較する（ステップＳ４４）。
そして、比較結果によって水分が検出され、それにより、コネクタに水分が存在するか否かということを最終認識する（ステップＳ４５）。
【００５７】
一方、ＭＵＩＣから、一次水分検出結果が受信されず、ローパワーモードを維持する状態で、ＣＣＩＣは、ＣＣ１／ＣＣ２ピンから抵抗変動を検出し、それに基づいて、コネクタにケーブルが正常に接続されているか否かということを判断する（ステップＳ４６）。
ケーブルが接続されていない場合には、ＣＣＩＣは、ローパワーモードを維持し、一方、ケーブルが接続されている場合には、ＣＣＩＣは、ノーマルモードにそのモードを変更し、ＣＣ１／ＣＣ２ピンの抵抗を検出するために、第２電流を、ＣＣ１／ＣＣ２ピンに提供する（ステップＳ４７）。
次に、第２電流及びＣＣ１／ＣＣ２ピンの抵抗によって電圧が検出され、検出された電圧は、第２基準電圧と比較する（ステップＳ４８）。
そして、ケーブルが接続されていると判断されることにより、データ接続及びデータ制御の動作をＣＣＩＣによって遂行する（ステップＳ４９）。
前述した少なくとも１つの実施形態のように、ＣＣＩＣは、その動作モードにより、電源調節動作を介して、各種電圧及び電流のレベルを変化させ、一例として、第１電流と第２電流のレベルは異なり、第１基準電圧と第２基準電圧のレベルも異なり得る。
【００５８】
図１０〜図１２は、本発明の例示的な実施形態により、多種のピンを利用し、水分を検出する例を示す図である。
図１０を参照すると、電子装置３００は、ＵＳＢ  ｔｙｐｅ−Ｃ構造のコネクタ３１０、第１水分検出回路３２０及び第２水分検出回路３３０を含む。
【００５９】
コネクタ３１０は、複数のピンを含み、一例として、データ送受信に関係する第１グループのピン（３１１＿１）、及び第２グループのピン（３１１＿２）を含む。
第１グループのピン（３１１＿１）は、高速データ通信に関係するピンの内の一部のピン（Ａ２，Ａ３、Ｂ１０，Ｂ１１）を含み、第２グループのピン（３１１＿２）は、高速データ通信に関係するピンの内の他の一部のピン（Ａ１０，Ａ１１、Ｂ２，Ｂ３）を含む。
【００６０】
電子装置３００は、第１グループのピン（３１１＿１）及び第２グループのピン（３１１＿２）の内の少なくとも１つのピンを、データ通信と関わって利用せず、データ通信に利用されない少なくとも１つのピンが、第１水分検出回路３２０に接続される。
Ａ２ピン（ＴＸ１＋）を水分検出に利用される第１ピンとして設定したと仮定するとき、前述の実施形態により、第１水分検出回路３２０は、Ａ２ピン（ＴＸ１＋）から抵抗を検出し、その検出結果を、第２水分検出回路３３０に提供する。
一例として、第１水分検出回路３２０は、抵抗ＡＤＣを含んでもよく、抵抗ＡＤＣからのデジタルコードを、検出結果として、第２水分検出回路３３０に提供する。
このとき、第２水分検出回路３３０は、抵抗ＡＤＣからのデジタルコードを判断し、それを介して、第１水分検出回路３２０によって水分が検出されたか否かということを判断する。
【００６１】
または、変形可能な例として、第１水分検出回路３２０は、抵抗ＡＤＣからのデジタルコードを内部的に判断することにより、水分が検出されたか否かということを判断し、その判断結果を、第２水分検出回路３３０に提供することができる。
一例として、第１水分検出回路３２０は、ロジックハイ又はロジックローを有する判断結果を、第２水分検出回路３３０に提供することができる。
【００６２】
一方、前述した少なくとも１つの実施形態と同様に、第２水分検出回路３３０は、前述の第２ピンとして、ＣＣ１／ＣＣ２ピン（Ａ５，Ｂ５）を利用することができる。
すなわち、第２水分検出回路３３０は、第１水分検出回路３２０からの検出結果に基づいて水分検出モードに進入し、ＣＣ１／ＣＣ２ピン（Ａ５，Ｂ５）から検出された抵抗値に基づいて水分存在を認識し、その結果を出力することができる。
【００６３】
図１１においては、第２ピンがＵＳＢ  ｔｙｐｅ−Ｃ構造のコネクタのＣＣ１／ＣＣ２ピン以外の他のピンに該当する例を示す。
電子装置４００Ａは、ＵＳＢ  ｔｙｐｅ−Ｃ構造のコネクタ４１０Ａ、第１水分検出回路４２０Ａ及び第２水分検出回路４３０Ａを含み、第１ピンは、前述した少なくとも１つの実施形態と同様に、ＧＮＤピンＢ１２に該当する。
一方、図１１においては、第２ピンがＣＣ１／ＣＣ２ピン（Ａ５，Ｂ５）以外に、コネクタ４１０Ａに含まれる他のピンに該当する例を示し、一例として、ＳＢＵ１ピンＡ８及びＳＢＵ２ピンＢ８が第２ピンに該当する例を示す。
【００６４】
コネクタ４１０Ａに具備される複数のピンの内の一部がＣＣＩＣに接続され、ＳＢＵ１ピンＡ８及びＳＢＵ２ピンＢ８は、ノーマルモードにおいて、ＡＬＴモードを支援するための機能を遂行する。
第２水分検出回路４３０Ａは、第１水分検出回路４２０Ａからの検出結果に基づいて、水分検出モードに進入し、ＳＢＵ１／ＳＢＵ２ピン（Ａ８，Ｂ８）から検出された抵抗に基づいて水分存在を検出し、その結果を出力する。
すなわち、第２水分検出回路４３０Ａを含むＣＣＩＣは、ノーマルモードにおいて、ＳＢＵ１ピンＡ８及びＳＢＵ２ピンＢ８を利用した通信機能を遂行する一方、水分検出モードにおいて、ＳＢＵ１／ＳＢＵ２ピン（Ａ８，Ｂ８）の抵抗検出に基づいて、水分認識動作を遂行する。
前述した少なくとも１つの実施形態と同様に、ＳＢＵ１／ＳＢＵ２ピン（Ａ８，Ｂ８）において、いずれも水分が検出された場合、水分が存在すると認識され、またはＳＢＵ１／ＳＢＵ２ピン（Ａ８，Ｂ８）の内の少なくとも一つにおいて水分が検出された場合、水分が存在すると認識する。
【００６５】
図１２においては、第２水分検出回路４３０Ａがさらに複数のピンを利用し、水分検出動作を遂行する例を示す。
図１２を参照すると、電子装置４００Ｂは、ＵＳＢ  ｔｙｐｅ−Ｃ構造のコネクタ４１０Ｂ、第１水分検出回路４２０Ｂ及び第２水分検出回路４３０Ｂを含み、第１ピンは、前述した少なくとも１つの実施形態と同様に、ＧＮＤピンＢ１２に該当する。
一方、第２水分検出回路４３０Ｂによって水分検出動作に利用される第２ピンは、ＣＣ１／ＣＣ２ピン（Ａ５，Ｂ５）及びＳＢＵ１／ＳＢＵ２ピン（Ａ８，Ｂ８）を含む。
【００６６】
水分検出モードにおいて、ＣＣＩＣに含まれる第２水分検出回路４３０Ｂは、ＣＣ１／ＣＣ２ピン（Ａ５，Ｂ５）及びＳＢＵ１／ＳＢＵ２ピン（Ａ８，Ｂ８）から抵抗を検出し、それを介して、水分認識を最終判断する。
前述した少なくとも１つの実施形態と同様に、ＣＣ１／ＣＣ２ピン（Ａ５，Ｂ５）及びＳＢＵ１／ＳＢＵ２ピン（Ａ８，Ｂ８）において、いずれも水分が検出された場合、水分が存在すると認識する。
または、変形可能な動作例として、ＣＣ１／ＣＣ２ピン（Ａ５，Ｂ５）及びＳＢＵ１／ＳＢＵ２ピン（Ａ８，Ｂ８）の内の少なくとも１つのピンで水分が検出された場合、水分が存在すると認識する。
または、変形可能な動作例として、ＣＣ１／ＣＣ２ピン（Ａ５，Ｂ５）及びＳＢＵ１／ＳＢＵ２ピン（Ａ８，Ｂ８）の内の所定基準個数のピンで水分が検出された場合、水分が存在すると認識する。
【００６７】
本発明の実施形態に適用可能な第１ピン及び第２ピンの組み合わせは、図１０〜図１２に示した例に限定される必要はない。
すなわち、ＵＳＢ  ｔｙｐｅ−Ｃ構造のコネクタに含まれる複数のピンの内から選択された一部のピンが第１ピンに該当し、他の一部のピンが第２ピンに該当するものでもある。
【００６８】
図１３は、本発明の一実施形態による電子装置に含まれるＣＣＩＣの構成の一変形例を示すブロック図である。
図１３を参照すると、ＣＣＩＣは、ＵＳＢインターフェースによる各種機能を遂行し、本発明の例示的な実施形態により、水分検出動作を遂行するための各種構成要素を含む。
一例として、ＣＣＩＣ５００は、モード制御器５１０、電源調節器５２０、電源生成器５３０、抵抗検出器５４０、及び水分検出器５５０を含む。
【００６９】
一実施形態により、水分検出器５５０は、コネクタに水分が存在するということを示す最終認識結果（Ｉｎｆｏ＿Ｄ）を出力すると仮定する。
また、ＣＣＩＣ５００は、ＣＣ１／ＣＣ２ピンから検出された抵抗値を利用し、水分検出動作を遂行する。
図１３に示した構成要素のうち、前述の実施形態で説明した構成については、具体的な説明は省略する。
【００７０】
電源調節器５２０は、水分検出モード及びノーマルモードで利用される各種電源のレベルを調節するための制御動作を遂行する。
一例として、電源調節器５２０は、ローパワーモードにおいて、ＣＣ１／ＣＣ２ピンに提供する電流を遮断することができる。
また、電源調節器５２０は、ノーマルモードに比べ、水分検出モードでさらに低レベルの電流が生成されるように、電源生成器５３０を制御することができる。
また、水分が検出された場合、ＣＣ１／ＣＣ２ピンに提供する電流が遮断されるように、電源生成器５３０を制御することができる。
【００７１】
本発明のさらに具体的な水分認識動作について、図１４及び図１５を参照して説明する。
図１４及び図１５は、本発明の実施形態による変形可能な水分認識方法を説明するためのフローチャートである。
図１４に示すように、抵抗（又は、ＲＩＤ）ＡＤＣの間、ＣＣピンの間の順次的な検出シーケンス（ｄｅｔｅｃｔ  ｓｅｑｕｅｎｃｅ）を具現する。
【００７２】
まず、抵抗ＡＤＣ（ＲＩＤ）によって検出された抵抗値が、ケーブルを挿入するときに発生する一回限りのノイズ（ｎｏｉｓｅ）であるか、あるいは水分に対する有効（ｖａｌｉｄ）な抵抗値であるかを区分するために、複数回（例えば、１０回）反復して毎回チェックするとき、電圧（又は、電源（Ｖｂｕｓ））を確認すると仮定する。
一例として、抵抗値は、周期的又は非周期的に複数回検出され、検出動作において電圧も検出する。
この過程において、抵抗値が水分に相当すると判断された場合、ＣＣピンで再検査を行うために、ＣＣＩＣのモード状態（ｓｔａｔｅ）を水分検出モード（ＣＣ  ｃｈｅｃｋ）に設定し、ＣＣピンを水分検出用途に設定する。
【００７３】
このとき、水分検出のためのＣＣピン設定は、以下の通りである。
ＣＣＩＣは、水分及び乾燥検出（Ｗａｔｅｒ  ＆  Ｄｒｙ  Ｃｈｅｃｋ）のために、前述した少なくとも１つの実施形態のように、ＵＳＢ  ｔｙｐｅ−ＣコネクタのＣＣ１，ＣＣ２ピンを利用し、ＣＣピンは、ＵＳＢ  ｔｙｐｅ−Ｃコネクタの真ん中に並列に位置しており、そのうちＣＣ１，ＣＣ２ピンのいずれにも水分が接触しているとき、水分が存在すると検出する。
【００７４】
また、ＣＣピンと接続されているＣＣＩＣの内部デジタルブロック（ｄｉｇｉｔａｌ  ｂｌｏｃｋ）には、比較器（ｃｏｍｐａｒａｔｏｒ）が含まれており、比較器は、ＣＣピンを介して電圧を検出し、３つの区間（Ｒｐ／Ｒｄ／Ｒａ）に区分された抵抗を検出する。
上記区間を分ける基準電圧値（例えば、ＲｐとＲｄとを区分する基準電圧、ＲｄとＲａとを区分する基準電圧）の場合、ＣＣＩＣの内のレジスタ（ｒｅｇｉｓｔｅｒ）を設定することにより、変更が可能である。
前述のように、ノーマル動作のために、ＲｐとＲｄとを区分する第１基準電圧と、水分チェックを遂行する場合のＲｐとＲｄとを区分する第２基準電圧は、異なり得る。
【００７５】
一例として、水分チェックのために、ＲｐとＲｄとを区分する第２基準電圧が、ノーマルモードとは異なる値（例えば、第１基準電圧より大きい値）に設定される。
もし、第２基準電圧が２．７５Ｖに相当し、水分検出モードにおいて、１μＡの電流がＣＣピンに提供されると仮定するとき、相対的に高い水分抵抗値（２．７５ＭΩ×１μＡ＝２．７５Ｖ）まで測定される。
第１基準電圧及び第２基準電圧のレベルは、多様に設定が可能である。
【００７６】
水分検出要請を受信したことと同様に、ＣＣＩＣがＭＵＩＣから乾燥検出要請（Ｄｒｙ  ｃｈｅｃｋ）を受けた場合にも、ＣＣピンに提供される電流値及び基準電圧値が設定される。
一例として、ＭＵＩＣから乾燥検出要請を受けた後、ＣＣＩＣは、ＣＣピンに電流ソース（Ｒｐ  Ｓｒｃ）として、およそ１μＡを印加する。
水分の場合、抵抗値を有しているために、対応する抵抗値を用いて、Ｖ＝抵抗値×１μＡの電圧が検出され、抵抗値の状態を、ＣＣＩＣがＲｐに該当するか、あるいはＲｄに該当するか、設定しておいたＲｐ／Ｒｄ閾値によって区分して判断する。
抵抗値の状態は、Ｒｐ／Ｒｄ／Ｒａで表され、一例として、電圧値が２．７５Ｖ以上である場合、Ｒｐと表される。
最終的に、抵抗値の状態がＲｐと検出された場合、ＣＣＩＣは、水分が乾燥したと判断し、ＣＣＩＣは、水分乾燥を検出した結果をＭＵＩＣに提供するか、あるいはシステム内の他の構成（例えば、アプリケーションプロセッサ）に提供する。
【００７７】
図１４に示した各ブロックの機能について説明すれば、次の通りである。
まず、ステップＳ５４（Ａｄｃ  ｃｈａｎｇｅ？）で、ＲＩＤの抵抗値Ａｄｃが変動したが否かを判断する動作を示す。
もし抵抗値が変動された場合、現在ＭＵＩＣが水分状態（水分を有する状態）であるか否かを判断し（ステップＳ５５（Ｗａｔｅｒ＝ｔｒｕｅ？））、現在、水分状態ではない場合には、ＭＵＩＣが水分状態に進入するか否かを確認するために、ＡＤＣをリフレッシュし、判断する動作が複数回（例えば、１０回）反復される（ステップＳ５６（ＡＤＣ  ｒｅｆｒｅｓｈ））。
もし複数回の判断動作を介して、ＡＤＣの変動が発生したと判断されれば、通信に実際利用されるＧＮＤピンを介して、接地電圧が伝達されているか、あるいは電源電圧（ＶＢＵＳ）が伝達されているかを判断することにより（ステップＳ５７（Ａｄｃ＝０（Ｇｎｄ）  ｏｒ  ＶＢＵＳ？））、ケーブルが正常に接続されているか否かを判断する（ステップＳ５８（Ｐｌｕｇ  ａｔｔａｃｈ））。
【００７８】
一方、ＲＩＤの抵抗値Ａｄｃが変動したとき、現在ＭＵＩＣが水分状態であると判断された場合には、水分乾燥（乾燥状態）であることを判断するための動作を実行する。
一例として、Ａｄｃ値が水分乾燥に該当するオープン状態に該当するか否かを判断し（ステップＳ５１（Ａｄｃ＝Ｏｐｅｎ？））、もしオープン状態であると判断されれば、それに対する複数回（例えば、１０回）の判断動作のために、ＡＤＣリフレッシュ動作（ステップＳ５２（ＡＤＣ  ｒｅｆｒｅｓｈ））、及びＡｄｃ値がオープン状態に該当するか否かを判断する動作（ステップＳ５３（Ａｄｃ＝Ｏｐｅｎ？））を反復する。
そして、上記のような反復判断により、水分乾燥であるということが検出されれば、最終的に、水分乾燥状態であると認識する（ステップＳ６４（Ｗａｔｅｒ  ｄｒｙ））。
【００７９】
一方、前述のステップＳ５７において、ケーブルが正常に接続されていないと判断された場合には、ＭＵＩＣが一次的に水分を検出したことを示す検出結果が、ＣＣＩＣに提供され、ＣＣＩＣは、二次的に水分検出のための動作を実行する。
一例として、ＣＣＩＣは、水分検出のためのモードに進入し（ステップＳ５９（ＣＣ  ｐｉｎ  Ｄｅｔｅｃｔｉｏｎ  Ｍｏｄｅ））、前述した少なくとも１つの実施形態により、ＣＣＩＣは、ＣＣ１／ＣＣ２を介して、抵抗段階を検出するための動作を遂行し（ステップＳ６０（ＣＣ  ｍｏｎｉｔｏｒ  Ｒｄ／Ｒａ？））、もし抵抗がＲｄ，Ｒａである場合には、水分が感知されたと判断する。
【００８０】
ステップＳ６０において、水分が感知されれば、ＣＣピンに印加された電流を放電し、水分感知を示す通報動作を処理し（ステップＳ６２（ＣＣ  ｐｉｎ  ０μＡ，Ｗａｔｅｒ  ｎｏｔｉ））、そしてコネクタに水分が存在すると最終判断する（ステップＳ６３（Ｗａｔｅｒ  Ｄｅｔｅｃｔ））。
一方、Ｒｄ、Ｒａではないと判断された場合（水分ではないと検出された場合）には、複数回の判断動作（例えば、５回）をさらに実行し（ステップＳ６１（Ｒｅｔｒｙ））、水分が検出された場合には、前述のように、ステップＳ６２の動作を実行し、水分が検出されない場合には、水分が検出されていないことを示す結果をＭＵＩＣで知らせる。
【００８１】
図１５は、本発明の実施形態による変形可能な水分認識方法を説明するためのフローチャートであるが、特に、水分認識別及び乾燥認識別に動作方法を説明するためのフローチャートである。
図１５の水分認識フロー（左側［Ｗａｔｅｒ］）を参照すると、ＲＩＤの変動が発生したか否かを判断し（ステップＳ７１（ＲＩＤ  Ａｔｔａｃｈ？））、発生したと判断した場合には、ＲＩＤ  ＡＤＣ値が所定基準値（または、設定値）以下であるか否かを判断する（ステップＳ７２（ＲＩＤ  ＡＤＣ＜Ｒｅｆ？））。
【００８２】
基準値以下と判断された場合には、コネクタに水分が流入した可能性があり、それにより、ＣＣピンを介した検出のために、ＭＵＩＣは、ＲＩＤディセーブル状態に変更する（ステップＳ７３（ＲＩＤ  ｄｉｓａｂｌｅ，＊ＣＣ  Ｃｈｃｋ））。
そして、ＣＣピンを介した検出を介し、ＣＣチェックにおいても、水分が検出されたか否かを判断する（ステップＳ７４（ＣＣ＝ＩＲｐ？））。
もし抵抗がＲｄ，Ｒａである場合（または、Ｒｐではない場合）に、は水分が存在すると検出する。
【００８３】
ＣＣチェックを介して水分が検出されれば、ＭＵＩＣにおいて、ＲＩＤ動作をディセーブルするために、動作電圧（Ｖ＿ＲＩＤ）がトグルせず、０Ｖ、または非常に低い値に維持されるように電圧が制御する（ステップＳ７５（Ｖ＿ＲＩＤ  Ｓｅｔ））。
また、所定のディレイ（遅延）を経た後（ステップＳ７６（Ｄｅｌａｙ））、ＲＩＤチェックをさらに行うことにより、水分検出を再び実行する（ステップＳ７７（ＲＩＤ  Ｒｅｓｃａｎ：Ｒｅｆｒｅｓｈ））。
上記のようなステップを経て、水分認識が最終決定され、ＭＵＩＣ及びＣＣＩＣは、水分状態を維持する（Ｗａｔｅｒ＿ｉｄｌｅ）。
【００８４】
一方、水分乾燥フロー（右側［Ｄｒｙ］）を参照すると、ＲＩＤ値に変動があるか否かを判断し（ステップＳ８１（ＲＩＤ  ｄｅｔａｃｈ？））、ＲＩＤ  ＡＤＣ値が所定の基準値に該当するか否かを判断する（ステップＳ８２（ＲＩＤ  ＡＤＣ＝Ｒｅｆ？））。
所定の基準値は、水分が乾燥したということに該当するオープン値に相当し、上記のような基準を満足する場合、ＣＣＩＣを介した水分乾燥検出のために、ＣＣＩＣはＣＣチェックモードに進入する（ステップＳ８３（＊ＣＣ  Ｃｈｅｃｋ））。
ＣＣチェックを介して、前述のＣＣ１／ＣＣ２ピンの抵抗状態を判断し（ステップＳ８４（ＣＣ＝Ｒｐ？））、抵抗状態がＲｐに該当する場合には、水分が乾燥したと判断する（ステップＳ８５（Ｄｒｉｅｄ（Ｉｄｌｅ，Ｎｏ  Ｗａｔｅｒ）））。
【００８５】
一方、抵抗状態がＲｐに該当しない場合には、水分が乾燥していないと判断されることにより、ＣＣ１／ＣＣ２に印加した電流を放電する動作、及びＲＩＤディセーブル動作を実行し（ステップＳ８６（ＣＣ  ０μＡ，ＲＩＤ  ｄｉｓａｂｌｅ））、所定のディレイ（遅延）を経た後（ステップＳ８７（Ｄｅｌａｙ））、結果をＭＵＩＣに提供することにより、ＭＵＩＣで水分乾燥を検出する動作を再び実行する。
【００８６】
前述のような本願発明の実施形態が適用されたシステムは、多様なシステムに適用することができる。
一例として、本発明のシステムは、ＵＳＢ  ｔｙｐｅ−Ｃシステムにおいて、ＣＣピンと、抵抗を検出することができる追加ピンとを共に使用し、正確に水分を判断するシステムでもある。
また、本発明のシステムは、前記特徴と共に、抵抗センシングピンでケーブルのノイズ性信号を区分するために、電源電圧（ＶＢＵＳ）、及び複数回の検出方式を使用するシステムでもある。
また、本発明のシステムは、前記特徴と共に、抵抗センシングピンを介して、まず一次的に水分を検出し、それに基づいて、ＣＣピンを、ノーマル動作を排除した水分認識用に設定することができる順次方式で動作するシステムでもある。
また、本発明のシステムは、前記特徴と共に、ＣＣピンを介した抵抗検出のために、検出電流のレベルを変更し、抵抗によって形成される電圧を測定し、Ｒｐ／Ｒｄ／Ｒａの三種モードで水分を判断するシステムでもある。
【００８７】
また、前述の本発明の実施形態によれば、ＣＣ１／ＣＣ２ピンを、本来の目的であるＵＳＢＰＤ（ＵＳＢ  ｐｏｗｅｒ  ｄｅｌｉｖｅｒｙ）や、ＤＲＰ（ｄｕａｌ  ｒｏｌｅ  ｐｏｗｅｒ）のようなノーマル動作を考慮せず、水分に対する検出目的で動作させることができるために、自身のプロセッサ（ｐｒｏｃｅｓｓｏｒ）やリアルタイム（ｒｅａｌ−ｔｉｍｅ）システムを搭載していないＣＣＩＣにおいても、水分が存在するか否かを比較的簡単に検出することができる。
【００８８】
また、前述の本発明の実施形態によれば、ＣＣ動作に対する状態決定を行う前、ＲＩＤを介して水分流入判断がまずなされ、その検出結果により、ＣＣＩＣがノーマルモードで動作しないこともあるので、ＣＣピンに電流を印加せず、それにより、水分流入がある場合、コネクタ端腐食が発生しうる電流フローを事前に遮断することができる。
また、水分が流入したとき、コネクタが傾いているか、または平行ではないとき、あるいはＵＳＢ  ｔｙｐｅ−Ｃコネクタ全体が完全に乾いていない状態であるにもかかわらず、特定位置のピン近傍のみ水分が乾燥した条件などでは、水分に対する検出正確度が低くなるが、本発明の実施形態によれば、コネクタの中心部に位置したＣＣピンをさらに利用して水分を検出するので、その正確度が向上する。
【００８９】
尚、本発明は、上述の実施形態に限られるものではない。本発明の技術的範囲から逸脱しない範囲内で多様に変更実施することが可能である。
【産業上の利用可能性】
【００９０】
本発明に係る水分認識機能を含む電子装置及びその水分認識方法並びに水分認識システムは、例えば、コネクタを有する電子装置全般に好適に使用され得る。
【符号の説明】
【００９１】
１００    電子装置
１１０    コネクタ
１２０    第１水分検出回路
１２１    抵抗検出器
１２２    水分検出器
１３０    第２水分検出回路
１３１    モード制御器
１３２    電源生成器
１３３    抵抗検出器
１３４    水分検出器
１４０    アプリケーションプロセッサ
２００、３００、４００Ａ、４００Ｂ    電子装置
２１０、３１０、４１０Ａ、４１０Ｂ    コネクタ
２２０    ＭＵＩＣ（マイクロＵＳＢＩＣ）
２３０、５００    ＣＣＩＣ（Ｃｏｎｆｉｇｕｒａｔｉｏｎ  Ｃｈａｎｎｅｌ  ＩＣ）
３２０、４２０Ａ、４２０Ｂ    第１水分検出回路
３３０、４３０Ａ、４３０Ｂ    第２水分検出回路
５１０    モード制御器
５２０    電源調節器
５３０    電源生成器
５４０    抵抗検出器
５５０    水分検出器
【図１】
2019015730.tif 000003
【図２】
2019015730.tif 000004
【図３Ａ】
2019015730.tif 000005
【図３Ｂ】
2019015730.tif 000006
【図４】
2019015730.tif 000007
【図５】
2019015730.tif 000008
【図６】
2019015730.tif 000009
【図７】
2019015730.tif 000010
【図８】
2019015730.tif 000011
【図９】
2019015730.tif 000012
【図１０】
2019015730.tif 000013
【図１１】
2019015730.tif 000014
【図１２】
2019015730.tif 000015
【図１３】
2019015730.tif 000016
【図１４】
2019015730.tif 000017
【図１５】
2019015730.tif 000018